(57)【要約】【課題】通気用の孔を有しないフラットでシンプルなデザインのカバーを備えることで、意匠性の高い加熱調理器を提供する。【解決手段】加熱調理器は、上部が開口した箱形状の本体ケースと、本体ケースの上部開口を覆う天板部と、天板部の下方に配設された加熱手段と、本体ケースに間隔をあけて少なくとも２つ形成され、本体ケース内の部品を冷却するための冷却風を吸込み或いは排出する開口部と、開口部を覆うカバーと、を備えている。カバーは、本体ケースの上面との間に隙間を設けて配置されており、カバーと本体ケースとの間の隙間が、開口部と連通している。【選択図】図１
2018018662.tif 000002
【特許請求の範囲】
【請求項１】
上部が開口した箱形状の本体ケースと、
前記本体ケースの上部開口を覆う天板部と、
前記天板部の下方に配設された加熱手段と、
前記本体ケースに間隔をあけて少なくとも２つ形成され、前記本体ケース内の部品を冷却するための冷却風を吸込み或いは排出する開口部と、
前記開口部を覆うカバーと、を備え、
前記カバーは、前記本体ケースの上面との間に隙間を設けて配置されており、
前記カバーと前記本体ケースとの間の隙間が、前記開口部と連通している加熱調理器。
【請求項２】
前記カバーは、前記カバーにおける前記本体ケースの前面側の縁部が、前記開口部の開口縁よりも前記本体ケースの前面側に位置するように配置されている請求項１に記載の加熱調理器。
【請求項３】
前記本体ケースの上面には、前記本体ケースの内方へ向かって幅が狭くなる倒立台形状に凹ませた絞り部が、前記本体ケースの前面側から背面側に向かって形成されており、
前記開口部は、前記絞り部の底面に形成されており、
前記カバーは、前記カバーにおける前記本体ケースの前面側の縁部が、前記絞り部よりも前記本体ケースの前面側に位置するように配置され、前記カバーにおける前記本体ケースの背面側の縁部が、前記絞り部の傾斜面に位置するように配置されている請求項１に記載の加熱調理器。
【請求項４】
前記カバーは、前記本体ケースの前面側に向かい下方に傾斜させて配置されている請求項１〜３のいずれか一項に記載の加熱調理器。
【請求項５】
前記天板部と前記カバーとの間には、スペーサーが設けられており、
前記カバーは、前記スペーサーに支持されて前記本体ケースの上面との間に隙間を設けて配置されている請求項１〜４のいずれか一項に記載の加熱調理器。
【請求項６】
前記カバーの下面には、前記スペーサーの上部を嵌め込む凹状の溝部が形成されている請求項５に記載の加熱調理器。
【請求項７】
前記カバーには、前記本体ケースに向かって突き出すフランジ部が縁部に沿って設けられており、
前記フランジ部で囲まれた内部に、前記スペーサーの上部が嵌め込まれている請求項５に記載の加熱調理器。
【請求項８】
前記カバーは、隣接する前記開口部の間と対向する部分で複数に分割されている請求項１〜７のいずれか一項に記載の加熱調理器。
【請求項９】
前記カバーの両端部には、前記本体ケースに向かって突き出すフランジ部が設けられており、
前記カバーは、前記フランジ部の下端部を前記本体ケースの上面に載置させて、前記本体ケースの上面との間に隙間を設けて配置されている請求項１〜４のいずれか一項に記載の加熱調理器。
【発明の詳細な説明】
【技術分野】
【０００１】
本発明は、吸気口及び排気口を覆うカバーを備えた加熱調理器に関するものである。
【背景技術】
【０００２】
従来、誘導加熱コイルに高周波電流を流すことによって生じる高周波磁束で渦電流を誘起し、それによって発生するジュール熱で被加熱物の加熱を行う加熱調理器が知られている。この加熱調理器には、本体ケース内の部品を冷却するための冷却風を吸込み或いは排出する吸気口と排気口が設けられ、その吸気口と排気口を覆うカバーが本体ケースに取り付けられている。
【０００３】
このカバーは、例えば特許文献１又は２に開示されているように、通気性を有するパンチングメタル又は格子状の金属部材等で構成されており、通気性があり、冷却風の吸気及び排気、調理室からの排気の気流を通気抵抗が少なくスムースに通過させる。
【先行技術文献】
【特許文献】
【０００４】
【特許文献１】特開平１０−２１４６７７号公報
【特許文献２】特開２００２−２８０１５５号公報
【発明の概要】
【発明が解決しようとする課題】
【０００５】
ところで、近年、意匠性を重視した加熱調理器として、本体の上面に通気用の孔を有しないフラットでシンプルなデザインとした構成が求められている。そのため、特許文献１又は２に開示されたパンチングメタル又は格子状の金属部材等からなるカバーでは、外観の意匠性が劣るとの指摘がある。また、パンチングメタルは開口が小さく、ホコリ等がカバーに溜まりやすいとの指摘がある。
【０００６】
本発明は、上記のような課題を解決するためになされたものであり、通気用の孔を有しないフラットでシンプルなデザインのカバーを備えることで、意匠性の高い加熱調理器を提供することを目的とする。
【課題を解決するための手段】
【０００７】
本発明に係る加熱調理器は、上部が開口した箱形状の本体ケースと、前記本体ケースの上部開口を覆う天板部と、前記天板部の下方に配設された加熱手段と、前記本体ケースに間隔をあけて少なくとも２つ形成され、前記本体ケース内の部品を冷却するための冷却風を吸込み或いは排出する開口部と、前記開口部を覆うカバーと、を備え、前記カバーは、前記本体ケースの上面との間に隙間を設けて配置されており、前記カバーと前記本体ケースとの間の隙間が、前記開口部と連通しているものである。
【発明の効果】
【０００８】
本発明に係る加熱調理器によれば、カバーが本体ケースの上面との間に隙間を設けて配置されており、カバーと本体ケースとの間の隙間が開口部と連通しているので、カバーは通気用の孔を有しないフラットでシンプルなデザインとすることができ、外観の意匠性を高めることができる。
【図面の簡単な説明】
【０００９】
【図１】本発明の実施の形態１に係る加熱調理器であってカバーを取り付ける前の状態を示した斜視図である。
【図２】本発明の実施の形態１に係る加熱調理器であってカバーを取り付けた状態を示した斜視図である。
【図３】図２で指示したＸ−Ｘ線矢視を概略的に示した断面図である。
【図４】図２で指示したＹ−Ｙ線矢視の要部拡大断面図である。
【図５】本発明の実施の形態１に係る加熱調理器のカバーを本体ケースの前面側に傾けて配置した状態を示した要部拡大断面図である。
【図６】本発明の実施の形態１に係る加熱調理器の異なる形態を示した要部拡大断面図である。
【図７】本発明の実施の形態１に係る加熱調理器の異なる形態を示した要部拡大断面図である。
【図８】本発明の実施の形態１に係る加熱調理器の異なる形態を示した要部拡大断面図である。
【図９】本発明の実施の形態２に係る加熱調理器を示した斜視図である。
【図１０】本発明の実施の形態２に係る加熱調理器を示した斜視図である。
【図１１】本発明の実施の形態２に係る加熱調理器を示した斜視図である。
【図１２】本発明の実施の形態３に係る加熱調理器を示した斜視図である。
【発明を実施するための形態】
【００１０】
以下、図面を参照して、本発明の実施の形態について説明する。なお、各図中、同一または相当する部分には、同一符号を付して、その説明を適宜省略または簡略化する。また、各図に記載の構成について、その形状、大きさ、及び配置等は、本発明の範囲内で適宜変更することができる。
【００１１】
実施の形態１．
図１は、本発明の実施の形態１に係る加熱調理器であってカバーを取り付ける前の状態を示した斜視図である。図２は、本発明の実施の形態１に係る加熱調理器であってカバーを取り付けた状態を示した斜視図である。図３は、図２で指示したＸ−Ｘ線矢視を概略的に示した断面図である。図４は、図２で指示したＹ−Ｙ線矢視の要部拡大断面図である。
【００１２】
実施の形態１に係る加熱調理器１００は、誘導加熱コイルに高周波電流を流すことによって生じる高周波磁束で渦電流を誘起し、それによって発生するジュール熱で被加熱物の加熱を行う、据え置き型あるいはビルトイン型の誘導加熱調理器である。加熱調理器１００は、図１及び図２に示すように、上部が開口した箱形状の本体ケース１と、本体ケース１の上部開口を覆う天板部２と、天板部２の下方に配設された加熱手段３と、本体ケース１に間隔をあけて２つ形成され、本体ケース１内の部品を冷却するための冷却風を吸込み或いは排出する開口部６、７と、開口部６、７を覆うカバー４と、を備えている。
【００１３】
本体ケース１の内部には、加熱手段３として電磁誘導加熱コイル（以下、加熱コイルという）と、この加熱コイルの電力を制御する制御基板と、制御基板及び加熱コイル等を冷却するための冷却風を発生させる冷却装置（冷却ファン）等が配置されている。本体ケース１の上面には、本体ケース１の一部として、ステンレス材等の錆難く剛性を持った素材で構成された支持枠５が着脱自在に取り付けられており、支持枠５の中央に天板部２、前面側に副操作部８ａがそれぞれ配置されている。副操作部８ａは、加熱調理器１００における加熱動作の設定を受け付けるための操作ボタン及びスイッチ等で構成されている。支持枠５の背面側には、本体ケースの１内部と連通する開口部として、本体ケース１の内部に空気を取り込むための吸気口６と、本体ケース１の内部に取り込んだ空気を排気するための排気口７とが、支持枠５に形成されている。なお、本体ケース１の前面には、一例としてグリル扉９と、グリル扉９に隣接して設けられた主操作部８ｂとを備えている。
【００１４】
天板部２は、平板形状に形成された例えば耐熱性ガラス又はセラミック等の非金属材料で構成され、本体ケース１の上面の開口に設けられている。天板部２は、シリコン接着剤等によって外縁が支持枠５に接着され、支持枠５と一体化されている。天板部２の上面には、被加熱物の載置位置を示す載置位置表示部２ａ、２ｂ、２ｃが印刷等により表示されている。これらの載置位置表示部２ａ、２ｂ、２ｃの下方には、加熱手段３である加熱コイルが対向して配置されている。なお、載置位置表示部２ａ、２ｂ、２ｃは、図示した印刷等による表示に限らず、例えば電源を入れると光って載置位置を表示する構成でもよい。
【００１５】
加熱手段３は、本体ケース１内に配置された例えば３つの加熱コイルからなり、これらの加熱コイルの電力を制御する制御基板によって制御される。なお、加熱源として３つの加熱コイルを用いているが、全てを加熱コイルとする必要は無く、例えば、載置位置表示部２ａ、２ｂ、２ｃの下方にラジエントヒーターを設置しても良い。また、加熱コイルを３つとしているが、加熱コイルを２つあるいは４つとしても良い。
【００１６】
支持枠５には、図４に示すように、本体ケース１の内方へ向かって幅が狭くなる倒立台形状に凹ませた絞り部５０が、本体ケース１の前面側から背面側に向かって形成されている。絞り部５０は、傾斜面でなる側壁５０ｂ、５０ｂと、側壁５０ｂ、５０ｂを繋ぐ平坦な底面５０ａとで構成されている。
【００１７】
吸気口６と排気口７は、それぞれ略長方形状をなし、図４に示すように支持枠５に形成された絞り部５０の底面５０ａに形成されている。吸気口６及び排気口７は、支持枠５の上面に配置されたカバー４によって共通に覆われている。なお、詳細に図示することは省略したが、開口部６、７は、図示した２つに限定されない。例えば、開口部６、７は、中央に排気口を設け、その両側に吸気口をそれぞれ設けてもよい。また、２つの開口部６、７は、両方とも排気口又は両方とも吸気口としてもよい。
【００１８】
カバー４は、吸気口６及び排気口７を覆い、吸気口６及び排気口７の中に使用者の指又は異物等が入り込まないようにするために設けられている。カバー４は、略長方形状の平板状の金属材又は合成樹脂材から成り、天板部２の後方側において、支持枠５の上面に設けられたスペーサー４０により、支持枠５の上面との間に例えば５ｍｍ〜１０ｍｍ程度の隙間Ｓ１、Ｓ２を設けて載置する。つまり、実施の形態１の加熱調理器１００は、図３及び４に示すように、カバー４と本体ケース１との間に形成された前面側の隙間Ｓ１と背面側の隙間Ｓ２とが、吸気口６及び排気口７と連通して吸排気が行われる構成である。
【００１９】
カバー４は、図４に示すように、カバー４における本体ケース１の前面側の縁部４４が、支持枠５に形成された絞り部５０の絞り始め位置Ａよりも前面側に位置するように配置されている。つまり、加熱調理器１００は、カバー４で絞り部５０を覆い隠すことによって、加熱調理器１００の前方に立った使用者の視界から絞り部５０を隠すことができるので、外観の意匠性を高めることができる。
【００２０】
一方、カバー４における本体ケース１の背面側の縁部４５は、図４に示すように、背面側における絞り部５０の側壁５０ｂの範囲Ｂ内に位置するように配置されている。カバー４は、背面側の縁部４５を、側壁５０ｂよりも背面側に位置するように配置すると吸排気の効率が低下してしまう。また、カバー４は、側壁５０ｂよりも前面側に位置するように配置すると絞り部５０が使用者の視界に入ってしまい意匠性を損なう。なお、背面側における絞り部５０の側壁５０ｂの範囲Ｂでは、視野角的に絞り部５０が見え難い。そこで、カバー４は、背面側の縁部４５を、背面側における絞り部５０の側壁５０ｂの範囲Ｂ内に位置するように配置することにより、外観の意匠性を高めつつ、カバー４と本体ケース１との間の隙間Ｓ２を広げて吸排気の効率を高めている。
【００２１】
ただし、カバー４は、図４に示す位置に配置させた構成に限定するものではない。つまり、カバー４は、前面側の縁部４４を、絞り部５０の範囲内に位置するように配置してもよい。また、カバー４は、背面側の縁部４５を、絞り部５０の側壁５０ｂの範囲Ｂ内を超えた位置に配置してもよい。
【００２２】
図５は、本発明の実施の形態１に係る加熱調理器のカバーを本体ケースの前面側に傾けて配置した状態を示した要部拡大断面図である。カバー４は、図５に示すように、本体ケース１の前面側に向かい下方に傾斜させて配置した構成としてもよい。カバー４を傾斜させる角度は、一例として１０〜３０度程度である。つまり、加熱調理器１００は、傾斜させたカバー４で絞り部５０を覆い隠すことによって、加熱調理器１００の前方に立った使用者の視界から絞り部５０を隠して、外観の意匠性を高めつつ、背面側におけるカバー４と本体ケース１との間の隙間Ｓ２を広げて吸排気の効率をより一層高めることができる。なお、傾斜させたカバー４は、図５に示すように、前面側の縁部４４を、絞り部５０の絞り始め位置Ａよりも前面側に位置するように配置することが望ましい。また、傾斜させたカバー４は、背面側の縁部４５を、背面側における絞り部５０の側壁５０ｂの範囲Ｂ内に位置するように配置することが望ましい。更に、詳細に図示することは省略したが、傾斜させたカバー４は、前面側の縁部４４を支持枠５の上面に当接させて、本体ケース１の前面側に隙間Ｓ１を設けない構成とすることもできる。
【００２３】
スペーサー４０は、一例として直方体形状の合成樹脂材からなり、本体ケース１の側縁部と吸気口６との間、及び本体ケース１の側縁部と排気口７との間において、支持枠５の上面に取り付けられている。スペーサー４０は、単体として構成されており、例えば表面から見えないように、支持枠５又はカバー４にネジ等で固定されている。なお、スペーサー４０は、上方又は下方に突き出す凸形状として、支持枠５又はカバー４に一体的に形成した構成でもよい。また、スペーサー４０の形状は、図示した直方体形状に限定されず、例えば円柱状又はカバー４を支持する上面を半円弧状とした構成等でもよく、カバー４を本体ケース１の上面との間に隙間Ｓ１、Ｓ２を設けて支持することができれば、大きさ及び形状は問わない。更に、スペーサー４０は、吸気口６と排気口７との間の支持枠５の上面に配置してもよい。
【００２４】
図６〜８は、本発明の実施の形態１に係る加熱調理器の異なる形態を示した要部拡大断面図である。図６に示した加熱調理器１００のカバー４は、下面にスペーサー４０の上部を嵌め込む凹状の溝部４１が形成された構成である。溝部４１は、スペーサー４０を嵌め込む部分にのみ形成すれば足りるが、カバー４の両端間に亘って形成してもよい。つまり、図６に示したカバー４は、溝部４１に嵌め込んだスペーサー４０によって取り付け位置が固定されているので、調理中に不用意に位置ずれして、本体ケース１から落下することがなく、安全性を高めることができる。また、カバー４は、溝部４１にスペーサー４０を嵌め込んだだけの簡易な構成なので、取り付け取り外し作業が容易であり、使い勝手に優れている。
【００２５】
図７に示す加熱調理器１００のカバー４は、本体ケース１に向かって突き出すフランジ部４２が縁部４４、４５に沿って設けられており、下面に開口面を有する箱型形状とした構成である。スペーサー４０は、本体ケース１の側面方向から見て略Ｔ字形状をなし、Ｔ字の頭部がフランジ部４２で囲まれた内部に嵌め込まれている。したがって、図７に示す加熱調理器１００のカバー４は、フランジ部４２で囲まれた内部に嵌め込んだスペーサー４０によって取り付け位置が固定されているので、調理中に不用意に位置ずれして、本体ケース１から落下することがなく、安全性を高めることができる。また、カバー４は、フランジ部４２の内部にスペーサー４０の上部を嵌め込んだだけの簡易な構成なので、取り付け取り外し作業が容易であり、使い勝手に優れている。なお、スペーサー４０の形状は、図示した略Ｔ字状に限定されない。例えば、側面方向から見て四角形状、又は倒立台形形状等であってもよい。
【００２６】
なお、支持枠５は、図８に示すように、絞り部５０を設けることなく平坦面とした構成とし、その平坦面に吸気口６と排気口７を形成してもよい。この場合、カバー４は、カバー４における本体ケース１の前面側の縁部４４を、吸気口６又は排気口７の前面側の開口縁６０よりも前面側に位置するように配置する。つまり、加熱調理器１００は、カバー４で吸気口６及び排気口７を覆い隠すことによって、加熱調理器１００の前方に立った使用者の視界から吸気口６及び排気口７を隠すことができるので、外観の意匠性を高めることができる。そして、カバー４における本体ケース１の背面側の縁部４５を、吸気口６又は排気口７における背面側の開口縁６１よりも前面側に配置し、カバー４と支持枠５との間の隙間Ｓ２を広げて吸排気の効率を高める。但し、カバー４における本体ケース１の背面側の縁部４５は、吸気口６又は排気口７の背面側における開口縁６１よりも背面側に配置させてもよい。
【００２７】
したがって、実施の形態１の加熱調理器１００によれば、カバー４が本体ケース１の上面との間に隙間Ｓ１、Ｓ２を設けて配置されており、カバー４と本体ケース１との間の隙間Ｓ１、Ｓ２が、吸気口６及び排気口７と連通して吸排気が行われる構成なので、カバー４は通気用の孔を有していないフラットでシンプルなデザインとすることができる。よって、本発明に係る加熱調理器１００は、本体ケース１の上面がフラットでシンプルなデザインを有し、外観の意匠性を高めることができる。
【００２８】
また、パンチングメタル又は格子状の金属部材等で構成した従来のカバーでは、通気孔が吸気口６及び排気口７の開口面の真上となる位置に設けられているため、調理中に飛び跳ねた調理物又は油が通気孔を通じて吸気口６及び排気口７に進入しやすく、吸気口６及び排気口７の内部が汚れる問題があった。また、吸気口６及び排気口７は、手の届き難い本体ケース１の背面側に位置している上に、内部に制御基板及び冷却装置等が配置されているため、開口内部に手を入れて清掃する作業が困難である。そのため、吸気口６及び排気口７の内部は、きれいに清掃することが難しい。更に、制御基板又は冷却装置に付着する調理物又は油が、装置の故障の原因となる。
【００２９】
一方、実施の形態１の加熱調理器１００によれば、カバー４の上面に通気用の孔を有しない構成なので、調理中に飛び跳ねた調理物又は油が、カバー４の上面から進入することがなく、吸気口６及び排気口７の内部の汚れを軽減することができる。また、吸気口６又は排気口７と、カバー４との隙間は、パンチングメタル又は格子状のカバーの開口に比べ、幅広く開いているので、ホコリ等がカバー４に溜まり難い。また、カバー４は、通気用の孔を有しないので、パンチングメタル又は格子状のカバーに比べて強度が高い。したがって、洗浄作業中にカバー４の変形を抑制できる。
【００３０】
また、実施の形態１の加熱調理器１００によれば、カバー４における本体ケース１の前面側における縁部４４が、吸気口６及び排気口７の開口縁６０よりも前面側に位置するように配置されているので、カバー４で吸気口６及び排気口７を覆い隠すことができる。よって、加熱調理器１００は、加熱調理器１００の前方に立った使用者の視界から吸気口６及び排気口７を隠すことができるので、外観の意匠性を高めることができる。
【００３１】
また、実施の形態１の加熱調理器１００によれば、本体ケース１の上面に、本体ケース１の内方へ向かって幅が狭くなる倒立台形状に凹ませた絞り部５０が、本体ケース１の前面側から背面側に向かって形成されているので、圧力損失が軽減され冷却性能を向上させることができる。よって、加熱調理器１００は、カバー４を本体ケース１の上面に近づけることができ、本体ケース１の上面がよりフラットでシンプルなデザインを有することができる。
【００３２】
また、実施の形態１の加熱調理器１００によれば、吸気口６及び排気口７は、絞り部５０の底面５０ａに形成されており、カバー４における本体ケース１の前面側の縁部４４が、絞り部５０よりも本体ケース１の前面側に位置するように配置され、カバー４における本体ケース１の背面側の縁部４５が、絞り部５０の傾斜面に位置するように配置されている。よって、加熱調理器１００は、カバー４で絞り部５０を覆い隠すことができるので、加熱調理器１００の前方に立った使用者の視界から絞り部５０を隠して、外観の意匠性を高めつつ、背面側におけるカバー４と本体ケース１との間の隙間Ｓ２を広げて吸排気の効率を高めることができる。
【００３３】
また、実施の形態１の加熱調理器１００によれば、カバー４を本体ケース１の前面側に向かい下方に傾斜させて配置した構成とすることで、加熱調理器１００の前方に立った使用者の視界から絞り部５０を隠して、外観の意匠性を高めつつ、背面側におけるカバー４と本体ケース１との間の隙間Ｓ２を広げて吸排気の効率を高めることができる。
【００３４】
また、実施の形態１の加熱調理器１００によれば、カバー４の下面に、スペーサー４０の上部を嵌め込む凹状の溝部４１が形成された構成とすることで、溝部４１に嵌め込んだスペーサー４０によってカバー４の取り付け位置が固定される。よって、加熱調理器１００は、カバー４が調理中に不用意に位置ずれして、本体ケース１から落下する虞がなく、安全性を高めることができる。
【００３５】
また、実施の形態１の加熱調理器１００によれば、カバー４に、本体ケース１に向かって突き出すフランジ部４２、４２を縁部４４、４５に沿って設け、フランジ部４２で囲まれた内部にスペーサー４０の上部を嵌め込む構成とすることで、カバー４の取り付け位置が固定される。よって、加熱調理器１００は、カバー４が調理中に不用意に位置ずれして、本体ケース１から落下する虞がなく、安全性を高めることができる。
【００３６】
実施の形態２．
次に、本発明の実施の形態２に係る加熱調理器を図９〜１１に基づいて説明する。図９〜１１は、本発明の実施の形態２に係る加熱調理器を示した斜視図である。なお、実施の形態１で説明した加熱調理器１００と同一の構成について、同一の符号を付して、その説明を適宜省略する。
【００３７】
実施の形態２の加熱調理器１００は、図９に示すように、カバー４が、吸気口６と排気口７との間と対向する部分で二分割された左右対称の２つのカバー４Ａ、４Ｂで構成されている。各カバー４Ａ、Ｂは、両端部がそれぞれ支持枠５の上面に設けられたスペーサー４０、４０によって支持されており、一方の端部を対向させて配置されている。支持枠５の上面に配置された各カバー４Ａ、４Ｂの上面は略面一である。
【００３８】
実施の形態２の加熱調理器１００によれば、カバー４が、吸気口６と排気口７との間と対向する部分で分割された構成なので、汚れた部分のカバー４Ａ、４Ｂのみを取り外して洗浄することができ、清掃性を向上させることができる。また、カバー４Ａ、４Ｂの一部が破損等した場合には、破損した部分のカバー４Ａ、４Ｂのみを新しいカバーと交換することができるので経済的である。更に、図９に示したカバー４Ａ、４Ｂでは、分割した２つのカバー４Ａ、４Ｂが左右対称なので、部品の共通化を図ることができ、製造が容易で生産性を高めることができる。
【００３９】
図１０に示した加熱調理器１００では、分割した各カバー４Ａ、４Ｂの対向する側の端部を共通のスペーサー４０に載置させた構成である。スペーサー４０を共通に使用することで、部品点数を減らしてシンプルですっきりとした構造とすることができる。
【００４０】
また、図１１に示した加熱調理器１００では、カバー４が、本体ケース１の前面に設けたグリル扉９と、グリル扉９に隣接して設けられた主操作部８ｂとの境界線Ｌの位置に合わせて分割されており、統一感を図って意匠性を高めた構成である。なお、詳細に図示することは省略したが、カバー４は、吸気口６と排気口７との間と対向する部分において３分割以上とした構成でもよく、本体ケース１の大きさ若しくは形状、又は開口部６、７の大きさ若しくは形状に合わせて適宜変更して分割するものとする。
【００４１】
実施の形態３．
次に、本発明の実施の形態３に係る加熱調理器を図１２に基づいて説明する。図１２は、本発明の実施の形態３に係る加熱調理器を示した斜視図である。なお、実施の形態１で説明した加熱調理器１００と同一の構成について、同一の符号を付して、その説明を適宜省略する。
【００４２】
実施の形態３に係る加熱調理器１００は、図１２に示すように、カバー４の両端部に下方に突き出すフランジ部４３、４３が設けられている。カバー４は、フランジ部４３、４３の下端部を支持枠５の上面に当接させて、本体ケース１の上面との間に隙間Ｓ１、Ｓ２を設けて配置されている。フランジ部４３、４３は、一例として平板状の金属材からなるカバー４の両端部を、同じ向きに約９０度屈曲させて形成されている。なお、カバー４の上面は、フランジ部４３、４３によって支持枠５の上面から５〜１０ｃｍ程度の高さで支持されている。
【００４３】
したがって、実施の形態３に係る加熱調理器１００は、実施の形態１及び２の加熱調理器の構成要素であるスペーサー４０を必要としない構成なので、部品点数を減らすことができ、製造コストを抑えることができる。
【００４４】
なお、詳細に図示することは省略したが、実施の形態３に係る加熱調理器１００のカバー４は、実施の形態２で説明したように、吸気口６と排気口７との間と対向する部分で複数に分割された構成でもよい。また、カバー４は、実施の形態１で説明したように、本体ケース１の前面側に向かい下方に傾斜させて配置された構成としてもよい。
【００４５】
以上の各実施の形態において、支持枠５に開口する開口部６、７をそれぞれ吸気口６、排気口７として説明したが、いずれの開口も排気口７としてもよい。この場合、吸気口は、本体ケース１の後面又は前面に設けられる。
【符号の説明】
【００４６】
１  本体ケース、２  天板部、２ａ、２ｂ、２ｃ  載置位置表示部、３  加熱手段、４、４Ａ、４Ｂ  カバー、５  支持枠、６  吸気口（開口部）、７  排気口（開口部）、８ａ  副操作部、８ｂ  主操作部、９  グリル扉、４０  スペーサー、４１  溝部、４２、４３  フランジ部、４４、４５  縁部、５０  絞り部、５０ａ  底部、５０ｂ  側壁、６０、６１  開口縁、１００  加熱調理器、Ｓ１、Ｓ２  隙間。
【図１】
2018018662.tif 000003
【図２】
2018018662.tif 000004
【図３】
2018018662.tif 000005
【図４】
2018018662.tif 000006
【図５】
2018018662.tif 000007
【図６】
2018018662.tif 000008
【図７】
2018018662.tif 000009
【図８】
2018018662.tif 000010
【図９】
2018018662.tif 000011
【図１０】
2018018662.tif 000012
【図１１】
2018018662.tif 000013
【図１２】
2018018662.tif 000014